(57)【要約】    【課題】  トリミング領域の指定を行なう際の操作性を向上させることができる画像抽出装置及び画像抽出方法を提供する。    【解決手段】  ＬＣＤ３８に画像情報により示される画像を表示し、任意の方向への回転操作が可能に設けられたトラックボール６２に対する回転操作によってＬＣＤ３８における表示領域内のカーソル５０により示される位置を指定させ、指定された位置に基づく画像の領域をトリミング領域として、当該画像を示す画像情報から当該トリミング領域に対応する画像情報を抽出する。    【選択図】  図３
2005045650.tif 000002
【特許請求の範囲】
【請求項１】
画像情報により示される画像を表示するための表示手段と、
任意の方向への回転操作が可能に設けられた回転体を有し、当該回転体に対する回転操作によって前記表示手段における表示領域内の位置を指定するための位置指定手段と、
前記表示手段に画像が表示された状態で前記位置指定手段により指定された位置に基づく当該画像の領域をトリミング領域として、前記画像を示す画像情報から当該トリミング領域に対応する画像情報を抽出するトリミング手段と、
を備えた画像抽出装置。
【請求項２】
前記位置指定手段に有された前記回転体が、任意の方向への回転操作に加えて所定方向への押圧操作が可能に設けられると共に、前記位置指定手段に、当該回転体に対する押圧操作を検出する押圧検出手段を更に設けた
請求項１記載の画像抽出装置。
【請求項３】
画像情報を記憶するための記憶手段と、
前記トリミング手段により抽出された画像情報のみを前記記憶手段に記憶するか否かを示す指示情報を入力するための指示入力手段と、
前記指示入力手段により入力された指示情報が、前記トリミング手段により抽出された画像情報のみを記憶手段に記憶することを示す場合には、当該画像情報のみを前記記憶手段に記憶し、他の場合には、当該画像情報及び前記表示手段に表示された画像を示す画像情報を前記記憶手段に記憶する記憶制御手段と、
を更に備えた請求項１又は請求項２に記載の画像抽出装置。
【請求項４】
前記画像情報として被写体像を示す画像情報を取得する撮像手段を更に備え、
前記表示手段に表示された画像を、前記撮像手段により取得された前記画像情報が前記記憶手段に記憶される前の段階で表示されるプレビュー画像とした
請求項３に記載の画像抽出装置。
【請求項５】
前記表示手段に表示された画像を、前記記憶手段に記憶された画像情報により示される再生画像とした
請求項３に記載の画像抽出装置。
【請求項６】
前記記憶制御手段は、前記トリミング手段により抽出された画像情報及び前記表示手段に表示された画像を示す画像情報の双方を前記記憶手段に記憶する場合に、これらの画像情報を関連付けて記憶する
請求項３乃至請求項５の何れかに記載の画像抽出装置。
【請求項７】
前記記憶制御手段は、前記トリミング手段により抽出された画像情報及び前記表示手段に表示された画像を示す画像情報の双方を前記記憶手段に記憶する場合に、前記表示手段に表示された画像を示す画像情報の情報容量を前記トリミング手段により抽出された画像情報の付帯情報として前記記憶手段に記憶する
請求項３乃至請求項６の何れかに記載の画像抽出装置。
【請求項８】
前記トリミング手段により抽出された画像情報に基づいて当該画像情報により示される画像の明るさを互いに異ならせた複数の画像情報を生成して当該複数の画像情報により示される複数の画像を前記表示手段に表示する表示制御手段と、
前記表示手段に表示された複数の画像のうちの１つの画像を選択するための選択手段と、
を更に備え、
前記記憶制御手段は、前記選択手段によって選択された画像を示す画像情報を前記トリミング手段により抽出された画像情報として前記記憶手段に記憶する
請求項３乃至請求項７の何れかに記載の画像抽出装置。
【請求項９】
前記トリミング手段により抽出された画像情報を外部に出力するための出力手段を更に備えた請求項１乃至請求項８の何れかに記載の画像抽出装置。
【請求項１０】
前記トリミング手段により抽出された画像情報のプリントを指示するプリント指示情報を入力するためのプリント指示入力手段を更に備え、
前記出力手段は、前記プリント指示情報を更に出力する
請求項９に記載の画像抽出装置。
【請求項１１】
表示手段に画像情報により示される画像を表示し、
任意の方向への回転操作が可能に設けられた回転体に対する回転操作によって前記表示手段における表示領域内の位置を指定させ、
指定された位置に基づく前記画像の領域をトリミング領域として、前記画像を示す画像情報から当該トリミング領域に対応する画像情報を抽出する
画像抽出方法。
【発明の詳細な説明】
【技術分野】
【０００１】
本発明は、表示手段に表示された画像内の指定された領域をトリミング領域として、前記画像を示す画像情報から前記トリミング領域に対応する画像情報を抽出する画像抽出装置及び画像抽出方法に関する。
【背景技術】
【０００２】
従来、デジタルカメラ、カメラ付きＰＤＡ（Personal Digital Assistant）や携帯電話器等の撮影機能を備えた携帯型の電子機器には、撮影した画像に対するトリミング機能を有するものがあった。
【０００３】
従来、この種の電子機器に関する技術として、特許文献１には、デジタルカメラの表示手段における表示面に表示された画像の一部の領域をトリミング領域として指定するためのフレーム枠の大きさ及び位置を決定するための第１カーソル及び第２カーソルの位置を十字ボタンの操作状態に応じて移動させる技術が記載されている。
【特許文献１】特開２００２−１０１３７８公報
【発明の開示】
【発明が解決しようとする課題】
【０００４】
しかしながら、上記特許文献１の技術では、トリミング領域を決定する場合、第１のカーソル及び第２のカーソルを十字ボタンによる直交する２方向への移動だけで所望の位置へ移動させなければならず、操作性が悪い、という問題点があった。
【０００５】
本発明は上記問題点を解決するためになされたものであり、トリミング領域の指定を行なう際の操作性を向上させることができる画像抽出装置及び画像抽出方法を提供することを目的とする。
【課題を解決するための手段】
【０００６】
上記目的を達成するために、請求項１記載の画像抽出装置は、画像情報により示される画像を表示するための表示手段と、任意の方向への回転操作が可能に設けられた回転体を有し、当該回転体に対する回転操作によって前記表示手段における表示領域内の位置を指定するための位置指定手段と、前記表示手段に画像が表示された状態で前記位置指定手段により指定された位置に基づく当該画像の領域をトリミング領域として、前記画像を示す画像情報から当該トリミング領域に対応する画像情報を抽出するトリミング手段と、を備えている。
【０００７】
請求項１に記載の画像抽出装置によれば、画像情報により示される画像が表示手段に表示され、位置指定手段に設けられた回転体に対する回転操作によって前記表示手段における表示領域内の位置が指定される。
【０００８】
なお、上記表示手段には、ＬＣＤ（Liquid Crystal Display）、ＣＲＴディスプレイ、有機ＥＬディスプレイ、プラズマディスプレイ等のあらゆる表示装置を含めることができる。
【０００９】
ここで、本発明では、トリミング手段により、表示手段に画像が表示された状態で位置指定手段により指定された位置に基づく当該画像の領域がトリミング領域とされ、前記画像を示す画像情報から当該トリミング領域に対応する画像情報が抽出される。
【００１０】
すなわち、本発明では、回転体に対する任意の方向への回転操作によって、表示手段に表示された画像内の所望の領域をトリミング領域として迅速に指定することができるため、従来のように十字ボタンの上下左右方向の操作によりトリミング領域の指定を行なう場合に比べて、飛躍的に操作性が向上する。
【００１１】
このように、請求項１に記載の画像抽出装置によれば、表示手段に画像情報により示される画像を表示し、任意の方向への回転操作が可能に設けられた回転体に対する回転操作によって前記表示手段における表示領域内の位置を指定させ、指定された位置に基づく前記画像の領域をトリミング領域として、前記画像を示す画像情報から当該トリミング領域に対応する画像情報を抽出しているので、トリミング領域の指定を行なう際の操作性を向上させることができる。
【００１２】
なお、本発明は、請求項２に記載の発明のように、前記位置指定手段に有された前記回転体が、任意の方向への回転操作に加えて所定方向への押圧操作が可能に設けられると共に、前記位置指定手段に、当該回転体に対する押圧操作を検出する押圧検出手段をさらに設けることが好ましい。
【００１３】
請求項２に記載の発明によれば、回転体に対する任意の方向への回転操作に加え、所定方向への押圧操作を可能としているため、回転体に対する任意の方向への回転操作に応じて表示領域における指定位置を変更し、回転体に対する所定方向への押圧操作により指定位置を決定する、というように、回転体に対する操作だけで指定位置の入力を行うことができ、トリミング領域の指定を行なう際の操作性をさらに向上させることができる。
【００１４】
さらに、本発明は、請求項３に記載の発明のように、画像情報を記憶するための記憶手段と、前記トリミング手段により抽出された画像情報のみを前記記憶手段に記憶するか否かを示す指示情報を入力するための指示入力手段と、前記指示入力手段により入力された指示情報が、前記トリミング手段により抽出された画像情報のみを記憶手段に記憶することを示す場合には、当該画像情報のみを前記記憶手段に記憶し、他の場合には、当該画像情報及び前記表示手段に表示された画像を示す画像情報を前記記憶手段に記憶する記憶制御手段と、を更に備えてもよい。
【００１５】
請求項３に記載の発明によれば、トリミング手段により抽出された画像情報のみを記憶手段に記憶するか否かを示す指示情報が入力され、当該指示情報に応じて、少なくともトリミング手段により抽出された画像情報については上記記憶手段に記憶することが可能なため、当該抽出された画像のみを記憶する場合は、記憶手段の記憶容量を節約できる。また、トリミング手段により抽出された画像情報及び表示手段に表示された画像情報の双方を記憶する場合には、画像情報を抽出する前の全体画像を参照することができる。
【００１６】
なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、フロッピィディスク、ＣＤ−Ｒ（Compact Disc-Recordable）、ＣＤ−ＲＷ（Compact Disc-ReWritable）、光磁気ディスク等の可搬記録媒体やハードディスク等の固定記録媒体、或いはネットワークに接続されたサーバ・コンピュータ等に設けられた外部記憶装置等を含めることができる。
【００１７】
また、請求項３に記載の発明は、請求項４に記載の発明のように、前記画像情報として被写体像を示す画像情報を取得する撮像手段を更に備え、前記表示手段に表示された画像を、前記撮像手段により取得された前記画像情報が前記記憶手段に記憶される前の段階で表示されるプレビュー画像とすることもできる。
【００１８】
請求項４に記載の発明によれば、撮影時におけるプレビュー画像を示す画像情報から、所望の領域の画像情報を高い操作性で抽出することができる。
【００１９】
さらに、請求項３に記載の発明は、請求項５に記載の発明のように、表示手段に表示された画像を、前記記憶手段に記憶された画像情報により示される再生画像とすることもできる。
【００２０】
請求項５に記載の発明によれば、画像の再生時における再生画像を示す画像情報から、所望の領域の画像情報を高い操作性で抽出することができる。
【００２１】
ところで、トリミング手段により抽出された画像情報及び表示手段に表示された画像を示す画像情報の双方が記憶手段に記憶されている場合、当該抽出された画像情報が、どの画像情報から抽出されたかを容易に判別できることが好ましい。
【００２２】
そこで、請求項６に記載の発明では、前記記憶制御手段によって、前記トリミング手段により抽出された画像情報及び前記表示手段に表示された画像を示す画像情報の双方を前記記憶手段に記憶する場合に、これらの画像情報を関連付けて記憶するようにしている。
【００２３】
また、トリミング手段により抽出された画像情報を活用する際には、当該画像情報が含まれている元の画像情報の情報容量によっては、再度、元の画像情報を読み出したい場合もある。
【００２４】
そこで、請求項７に記載の発明では、前記記憶制御手段は、前記トリミング手段により抽出された画像情報及び前記表示手段に表示された画像を示す画像情報の双方を記憶する場合に、前記表示手段に表示された画像を示す画像情報の情報容量を前記トリミング手段により抽出された画像情報の付帯情報として前記記憶手段に記憶するようにしている。
【００２５】
ところで、トリミング手段により抽出された画像情報は、１つの画像を示す画像情報の一部であるため、当該抽出された画像情報によって示される画像の明るさは、もとの画像全体の明るさとは異なる場合が少なくない。
【００２６】
そこで、請求項８に記載の発明では、前記トリミング手段により抽出された画像情報に基づいて当該画像情報により示される画像の明るさを互いに異ならせた複数の画像情報を生成して当該複数の画像情報により示される複数の画像を前記表示手段に表示する表示制御手段と、前記表示手段に表示された複数の画像のうちの１つの画像を選択するための選択手段と、を更に備え、前記記憶制御手段は、前記選択手段によって選択された画像を示す画像情報を前記トリミング手段により抽出された画像情報として前記記憶手段に記憶するようにしている。
【００２７】
請求項８に記載の発明によれば、トリミング手段により抽出された画像情報に基づいて当該画像情報により示される画像の明るさを互いに異ならせた複数の画像情報を生成して当該複数の画像情報により示される複数の画像を前記表示手段に表示し、表示した複数の画像のうちの選択された１つの画像を前記トリミング手段により抽出された画像情報として前記記憶手段に記憶するので、トリミング領域の指定を行なう際の操作性を向上させることができると共に、良好な明るさとされたトリミング領域の画像を記憶することができる。
【００２８】
さらに、請求項９に記載の発明のように、前記トリミング手段により抽出された画像情報を外部に出力するための出力手段を更に備え、プリンタやパーソナルコンピュータ（ＰＣ）等の外部装置に当該画像情報を出力することにより、当該画像情報の活用の幅を広げるようにしてもよい。
【００２９】
また、近年、撮像により得られた画像をプリンタを用いてプリントする場合に、ＰＣ等の情報端末装置を介さずに当該画像を示す画像情報をプリンタに直接出力する技術（所謂ダイレクトプリント）が提案されている。
【００３０】
この点に着目して、請求項１０に記載の発明では、前記トリミング手段により抽出された画像情報のプリントを指示するプリント指示情報を入力するためのプリント指示入力手段を更に備え、前記出力手段は、前記画像情報に加え、前記プリント指示情報を更に出力するようにしている。
【００３１】
請求項１０に記載の発明によれば、プリント指示情報も外部に出力できるので、プリンタと直接接続してトリミング画像をプリントさせることができる。
【００３２】
一方、上記目的を達成するために、請求項１１に記載の画像抽出方法は、表示手段に画像情報により示される画像を表示し、任意の方向への回転操作が可能に設けられた回転体に対する回転操作によって前記表示手段における表示領域内の位置を指定させ、指定された位置に基づく前記画像の領域をトリミング領域として、前記画像を示す画像情報から当該トリミング領域に対応する画像情報を抽出するものである。
【００３３】
請求項１１に記載の画像抽出方法によれば、上記請求項１に記載の発明と同様に作用するので、請求項１に係る発明と同様に、トリミング領域の指定を行なう際の操作性を向上させることができる。
【発明の効果】
【００３４】
以上説明したように、本発明に係る画像抽出装置及び画像抽出方法によれば、表示手段に画像情報により示される画像を表示し、任意の方向への回転操作が可能に設けられた回転体に対する回転操作によって前記表示手段における表示領域内の位置を指定させ、指定された位置に基づく前記画像の領域をトリミング領域として、前記画像を示す画像情報から当該トリミング領域に対応する画像情報を抽出しているので、トリミング領域の指定を行なう際の操作性を向上させることができる、という優れた効果を有する。
【発明を実施するための最良の形態】
【００３５】
以下、図面を参照して、本発明を実施するための最良の形態について詳細に説明する。まず、図１を参照して、本発明を適用したデジタルカメラ１０の外観上の構成を説明する。
【００３６】
図１（Ａ）に示すように、このデジタルカメラ１０の正面には、撮影する被写体の構図を決定するために用いられるファインダ２０と、被写体像を結像させるためのレンズ２１と、撮影を実行する際に押圧操作されるレリーズボタン（所謂シャッター）５６Ａと、が備えられている。
【００３７】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が、内蔵された２つのスイッチにより検出可能に構成されている。
【００３８】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３９】
一方、図１（Ｂ）に示すように、デジタルカメラ１０の背面には、前述のファインダ２０の接眼部と、撮影された被写体像やメニュー画面等の各種情報を表示するための液晶ディスプレイ（以下、「ＬＣＤ」という。）３８と、が備えられている。
【００４０】
また、デジタルカメラ１０の背面には、撮影を行うモードである撮影モード及び被写体像をＬＣＤ３８に再生するモードである再生モードの何れかのモードに設定する際にスライド操作されるモード切替スイッチ５６Ｂと、ＬＣＤ３８にメニュー画面を表示する際に押圧操作されるメニューキー５６Ｃと、ＬＣＤ３８における表示内容を決定する際に押圧操作される決定キー５６Ｄと、十字カーソルキー５６Ｅと、ＬＣＤ３８における表示内容を放棄する際に押圧操作されるキャンセルキー５６Ｆと、が更に備えられている。
【００４１】
なお、十字カーソルキー５６Ｅは、ＬＣＤ３８の表示領域における上・下・左・右の４方向の移動方向を示す４つの矢印キーを含んで構成されている。
【００４２】
一方、デジタルカメラ１０には、トラックボール装置６０が装備されている。そして、デジタルカメラ１０の背面壁１０Ｂには、トラックボール装置６０に設けられた後述するトラックボール６２の一部を外部に露出させるための開口１０Ｃが形成されている。従って、ユーザは、開口１０Ｃを介して外部に露出されたトラックボール６２の一部を指先にてデジタルカメラ１０の正面方向に押圧したり、トラックボール６２を回転させたりすることができる。
【００４３】
図２（Ａ）に示すように、本実施の形態に係るトラックボール装置６０は、トラックボール６２と、エンコーダ機構６４と、マイクロスイッチ６６と、板バネ６８と、を備えている。
【００４４】
トラックボール６２は、或る程度重量感を持たせた球状の回転体であり、背面壁１０Ｂに形成された開口１０Ｃを介して球面の一部が露出した状態で全方向に回転操作可能かつ押圧操作可能に設けられている。なお、トラックボール６２の表面の材質としてはゴムが用いられており、エンコーダ機構６４の後述するローラ６４Ａとの摩擦係数を増加させている。
【００４５】
エンコーダ機構６４は、トラックボール６２の表面に当接する円柱状のローラ６４Ａと、トラックボール６２の直交する２方向（Ｘ方向、Ｙ方向）の移動量に応じたパルス信号を出力する回転量検出部６４Ｂと、を有する２組のエンコーダ６５Ａ、６５Ｂを備えている。
【００４６】
ローラ６４Ａは、軸部分の材質が、例えばプラスチックからなり、トラックボール６２との摩擦で容易に回転可能とされている。なお、ローラ６４Ａの軸の長さは、トラックボール６２の径に合うように調整されている。また、回転量検出部６４Ｂは、ローラ６４Ａの回転量に応じたパルス信号を出力するものとして構成されている。従って、回転量検出部６４Ｂから出力されたパルス信号に基づいてトラックボール６２の回転量（移動量）を検出することができる。
【００４７】
一方、トラックボール装置６０には、トラックボール６２の表面積の半分を越えた部分を囲むことによってトラックボール６２を保持すると共に、トラックボール６２が外部から押圧されたときにトラックボール６２と共に当該押圧の方向と同一の方向に移動される保持部材７０が備えられている。
【００４８】
保持部材７０は、トラックボール６２を保持する面が当該トラックボール６２の被保持面と略同一サイズで略同形状（一部球状）のものとされている。そして、保持部材７０のトラックボール６２保持側の面（内面）には、トラックボール６２と保持部材７０との間の摩擦力を低下させるための化学繊維で構成された摩擦低下部材７０Ａが貼り付けられている。
【００４９】
また、保持部材７０の図２における上端位置及び下端位置には、それぞれ保持部材７０の移動方向をデジタルカメラ１０の正面方向（図２（Ａ）矢印Ａ方向）に規制する規制壁７２Ａ、７２Ｂが設けられている。
【００５０】
従って、本実施の形態に係るトラックボール装置６０では、トラックボール６２が押圧されると、トラックボール６２及び保持部材７０は移動方向が規制壁７２Ａ、７２Ｂに規制されて図２（Ａ）矢印Ａ方向に一体的に移動され、図２（Ｂ）に示す状態となるが、このとき、エンコーダ６５Ａ及びエンコーダ６５Ｂは、トラックボール６２の表面から離間するように、一端部が背面壁１０Ｂに固定された支持部材６４Ｃによって固定的に位置決めされている。
【００５１】
一方、マイクロスイッチ６６は、トラックボール６２が押圧操作されたか否かを検出するためのものである。マイクロスイッチ６６は、トラックボール６２が押圧操作され、保持部材７０を介して作動片６６Ａが押圧されたときにオンし、トラックボール６２が押圧操作された旨を示す信号（以下、「押圧信号」という。）を出力し、トラックボール６２が通常位置（図２（Ａ）の位置）にあるときにはオフするようにプリント配線板８０上に実装されている。
【００５２】
また、板バネ６８は、トラックボール６２への押圧操作が解除されたときに当該押圧操作に応じて移動した保持部材７０を元の位置に復帰させる方向に付勢力を与えるためのものであり、一端部がプリント配線板８０に取付けられ、他端部が保持部材７０の外壁に当接するように配設されている。
【００５３】
次に、図３を参照して、本実施の形態に係るデジタルカメラ１０の電気的な構成について説明する。
【００５４】
同図に示されるように、デジタルカメラ１０は、前述のレンズ２１を含んで構成された光学ユニット２２と、レンズ２１の光軸後方に配設された電荷結合素子（以下、「ＣＣＤ」という。）２４と、を含んで構成されている。
【００５５】
また、デジタルカメラ１０は、被写体像やメニュー画面等をＬＣＤ３８に表示させるための信号を生成してＬＣＤ３８に供給する表示制御部１４と、デジタルカメラ１０全体の動作を司るＣＰＵ（中央処理装置）１１を含んで構成された制御部１２と、可搬型の記録メディア１８をデジタルカメラ１０でアクセス可能とするためのメモリ制御部１６と、デジタルカメラ１０において実行される各種プログラムやテーブル等が記憶されたＲＯＭ及び撮影により得られたデジタル画像情報等を記憶するＲＡＭを備えた記憶部２６と、を含んで構成されている。なお、本実施の形態のデジタルカメラ１０では、記録メディア１８としてスマートメディア（Smart Media(R)）が用いられている。
【００５６】
上記表示制御部１４、ＣＣＤ２４、メモリ制御部１６及び記憶部２６は、それぞれ制御部１２に接続されている。したがって、制御部１２のＣＰＵ１１は、ＬＣＤ３８に対する表示制御部１４を介した各種情報の表示、ＣＣＤ２４による被写体像を示す画像情報の取得、記録メディア１８へのメモリ制御部１６を介したアクセス、及び記憶部２６のＲＯＭやＲＡＭへのアクセスを各々行うことができる。
【００５７】
なお、制御部１２には、上記ＣＰＵ１１の他、ＣＣＤ２４から入力された被写体像を示すアナログ信号に対して各種のアナログ信号処理を行った後、デジタルデータに変換し、さらに、当該デジタルデータに対して各種のデジタル信号処理を行う信号処理部（図示省略）が含まれる。
【００５８】
また、デジタルカメラ１０は、エンコーダ６５Ａの回転量検出部６４Ｂにおけるパルス信号を出力する出力端に接続されたＸ方向移動量検出部２８と、エンコーダ６５Ｂの回転量検出部６４Ｂにおけるパルス信号を出力する出力端に接続されたＹ方向移動量検出部３０と、トラックボール装置６０のマイクロスイッチ６６に接続されたトラックボール押圧検出部３２と、を含んで構成されている。
【００５９】
Ｘ方向移動量検出部２８では、接続された回転量検出部６４Ｂから入力されたパルス信号に基づいてトラックボール６２のＸ方向に対する所定時間当たりの回転量を検出し、当該回転量を示す検出信号を出力する。同様に、Ｙ方向移動量検出部３０では、接続された回転量検出部６４Ｂから入力されたパルス信号に基づいてトラックボール６２のＹ方向に対する所定時間当たりの回転量を検出し、当該回転量を示す検出信号を出力する。更に、トラックボール押圧検出部３２では、マイクロスイッチ６６のオン／オフの状態に応じた検出信号を出力する。
【００６０】
Ｘ方向移動量検出部２８、Ｙ方向移動量検出部３０及びトラックボール押圧検出部３２は、それぞれ制御部１２に接続されており、制御部１２のＣＰＵ１１はトラックボール装置６０のトラックボール６２に対する回転操作及び押圧操作の各操作状態を常時把握できる。そして、ＣＰＵ１１では、トラックボール６２に対する回転操作に応じてＬＣＤ３８び表示領域に対するカーソルマーク５０（図１（Ｂ）も参照）の表示位置を変更させると共に、トラックボール６２に対する押圧操作が行なわれた時点のＬＣＤ３８上のカーソルマーク５０により示される位置が最終的な指定位置であるものとして確定されたものと判断する。
【００６１】
さらに、デジタルカメラ１０は、キャンセルキー５６Ｆが押圧操作されることによりオン状態とされるスイッチＳＷ２と、決定キー５６Ｄが押圧操作されることによりオン状態とされるスイッチＳＷ３と、メニューキー５６Ｃが押圧操作されることによりオン状態とされるスイッチＳＷ４と、スイッチＳＷ２に接続されたキャンセルキー押圧検出部３４と、スイッチＳＷ３に接続された決定キー押圧検出部３８と、スイッチＳＷ４に接続されたメニューキー押圧検出部４０と、を含んで構成されている。
【００６２】
これらキャンセルキー押圧検出部３４、決定キー押圧検出部３８及びメニューキー押圧検出部４０は、接続されたスイッチのオン／オフに応じた検出信号をそれぞれ出力する。
【００６３】
また、デジタルカメラ１０は、十字カーソルキー５６Ｅを構成する４つの矢印キーに対する操作状態に応じた検出信号を出力する十字カーソルキー操作状態検出部３６と、モード切替スイッチ５６Ｂに対する操作状態に応じた検出信号を出力するモード切替スイッチ操作状態検出部４２と、上記レリーズボタン５６Ａが半押し状態とされた場合にオンするスイッチＳＷ５と、当該レリーズボタン５６Ａが全押し状態とされた場合にオンするスイッチＳＷ６と、スイッチＳＷ５及びスイッチＳＷ６に接続され、これらのスイッチのオン／オフの状態に応じた検出信号を出力するレリーズ検出部４４と、を含んで構成されている。
【００６４】
キャンセルキー押圧検出部３４、十字カーソルキー操作状態検出部３６、決定キー押圧検出部３８、メニューキー押圧検出部４０、モード切替スイッチ操作状態検出部４２及びレリーズ検出部４４はそれぞれ制御部１２に接続されており、制御部１２のＣＰＵ１１は、これら各検出部に接続されたスイッチのオン／オフ状態を常時把握できる。
【００６５】
また、デジタルカメラ１０は、プリンタインタフェース４５と、外部機器インタフェース４７と、を含んで構成されている。
【００６６】
プリンタインタフェース４５は、接続されたプリンタ４６との間の通信を制御する役割を有するものであり、外部機器インタフェース４７は、接続されたＰＣ４８との間の通信を制御する役割を有するものである。
【００６７】
そして、プリンタインタフェース４５及び外部機器インタフェース４７は、制御部１２に接続されており、ＣＰＵ１１は、プリンタインタフェース４５に接続されたプリンタ４６等のプリンタ及び外部機器インタフェース４７に接続されたＰＣ４８等の外部機器との間で通信可能とされている。
【００６８】
以下に、本実施の形態の作用を説明する。
【００６９】
モード切替スイッチ５６Ｂの操作により撮影モードに設定されると、デジタルカメラ１０では撮影モード処理を実行する。
【００７０】
図４は、このときにＣＰＵ１１により所定期間（本実施の形態では１秒間。）毎に実行される撮影モード処理プログラムの処理の流れを示すフローチャートであり、当該撮影モード処理プログラムは、記憶部２６のＲＯＭに予め記憶されている。以下、同図を参照して本実施の形態に係る撮影モード処理について説明する。
【００７１】
まず、ステップ１００では、ユーザによる指示入力に基づき、次のように撮影処理を行なう。
【００７２】
撮影処理においては、まず、ＣＣＤ２４に対して、光学ユニット２２を介した撮像を開始させる。これにより、ＣＣＤ２４では、被写体像を示すＲ（赤）、Ｇ（緑）、Ｂ（青）毎のアナログ信号の制御部１２への出力を開始する。
【００７３】
これに応じて、制御部１２では、内蔵された不図示の信号処理部により、ＣＣＤ２４から入力されたアナログ信号に対して相関二重サンプリング処理等のアナログ信号処理を施した後にデジタル画像データに変換（Ａ／Ｄ変換）し、更に、当該デジタル画像データに対してホワイトバランス調整、ガンマ処理、シャープネス処理、ＹＣ信号処理等のデジタル信号処理を施して輝度信号Ｙとクロマ信号Ｃｒ、Ｃｂ（以下、「ＹＣ信号」という。）を生成した後に、該ＹＣ信号を記憶部２６のＲＡＭに順次出力する。
【００７４】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合にＣＰＵ１１は、生成したＹＣ信号を、表示制御部１４を介して順次ＬＣＤ３８に出力する。これによってＬＣＤ３８にスルー画像が表示されることになる。
【００７５】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、ＣＰＵ１１は、この時点で記憶部２６のＲＡＭに格納されているＹＣ信号を所定の圧縮形式（本実施の形態では、ＪＰＥＧ形式）で圧縮した後にメモリ制御部１６を介して記録メディア１８に電子化ファイル（画像ファイル）として記録することになる。
【００７６】
そこで、ステップ１０２では、レリーズボタン５６Ａが全押し状態とされるまで待機し、ステップ１０４では、この時点で記憶部２６のＲＡＭに格納されている画像情報（ＹＣ信号）を記録メディア１８に記録する前の段階で、プレビュー画像として当該画像情報により示される画像をＬＣＤ３８に表示する。
【００７７】
図５（Ａ）には、当該プレビュー画像をＬＣＤ３８にプレビュー表示した状態が、一例として示されている。
【００７８】
本実施の形態に係るデジタルカメラ１０は、プレビュー画像内の一部領域のみの画像を示す画像情報を抽出して記録メディア１８に記録するトリミング機能を備えている。そこで、同図に示す例では、プレビュー表示した画像に重ねて、トリミング機能を実行するか否かを問う旨のメッセージを表示している。
【００７９】
これに対して、ユーザは、撮影により得られた画像を確認した上で、決定キー５６Ｄ又はキャンセルキー５６Ｆを押圧操作することにより、トリミング機能を実行するか否かを入力する。
【００８０】
そこで、次のステップ１０６では、ユーザによる決定キー５６Ｄ又はキャンセルキー５６Ｆの押圧結果に応じてトリミング機能を実行するか否かを判定する。ユーザによるキー操作の結果、キャンセルキー５６Ｆが押圧されたことを示す検出信号が入力された場合には当該判定が否定判定となってステップ１１６に移行し、ＬＣＤ３８にプレビュー表示されている画像を示す画像情報を圧縮して記録メディア１８に記録した後に本撮影モード処理を終了する。
【００８１】
一方、決定キー５６Ｄが押圧されたことを示す検出信号が入力された場合には、ステップ１０６からステップ１０８に移行して、ＬＣＤ３８にプレビュー表示された画像に重ねてトリミング枠を表示するように制御する。
【００８２】
図５（Ｂ）には、一例として、ＬＣＤ３８上にプレビュー表示された画像に重ねて矩形のトリミング枠が表示された状態が示されている。以下、同図を参照して、トリミング枠が矩形である場合について説明する。
【００８３】
ＬＣＤ３８にトリミング枠を表示する際には、ユーザは、まず、トラックボール６２の回転操作によってカーソルマーク５０（図５では図示省略、図１参照。）を所望の位置に移動させた後、トラックボール６２をデジタルカメラ１０の正面方向に押し込むことにより、トリミング枠の１つ目の頂点（図５（Ｂ）の点Ａ、Ｂ、Ｃ、Ｄの何れか１つ）を決定する。
【００８４】
これに応じて、ＣＰＵ１１は、ＬＣＤ３８上に当該１つ目の頂点を基点とすると共に、カーソルマーク５０により指し示される位置を当該基点の対角に位置する頂点（以下、「第２頂点」という。）としたトリミング枠を表示する。
【００８５】
次に、ユーザは、表示されたトリミング枠の第２頂点がトラックボール６２の回転操作によって移動させることによりトリミング枠のサイズを変更し、所望のサイズとなったところでトラックボール６２を再び押圧操作することにより、トリミング枠を決定する。
【００８６】
その後に、ユーザは、ＬＣＤ３８の表示内容を確認し、メニューキー５６Ｃ、決定キー５６Ｄ、キャンセルキー５６Ｆの何れかを押圧操作することにより、トリミング枠で囲まれた領域の画像（トリミング画像）及び前記プレビュー表示された画像の双方の画像情報、又はトリミング画像の画像情報のみを記録メディア１８に記録するか否かを入力する。
【００８７】
そこで、ステップ１１０では、メニューキー５６Ｃ、決定キー５６Ｄ、キャンセルキー５６Ｆの何れかのキーの押圧操作待ちを行ない、ステップ１１２では、少なくともトリミング画像を示す画像情報を記録メディア１８に記録するか否かを判定する。ユーザによるキー操作の結果、キャンセルキー５６Ｆが押圧されたことを示す検出信号が入力された場合には当該判定が否定判定となり、再びステップ１０４に戻る。
【００８８】
一方、メニューキー５６Ｃ又は決定キー５６Ｄが押圧されたことを示す検出信号が入力された場合にはステップ１１２で肯定判定となってステップ１１３に移行し、トリミング画像を示す画像情報のみを記録メディア１８に記録するか否かを判定する。上記ユーザによるキー操作の結果、決定キー５６Ｄが押圧されたことを示す信号が入力された場合には当該判定が否定判定となってステップ１１４に移行し、プレビュー画像を示す画像情報及びトリミング画像の双方の画像情報を記録メディア１８に記録する。一方、上記ユーザによるキー操作の結果、メニューキー５６Ｃが押圧されたことを示す信号が入力された場合にはステップ１１３が肯定判定となってステップ１１５に移行し、トリミング画像を示す画像情報のみを記録メディア１８に記録し、その後に本撮影モード処理を終了する。
【００８９】
ところで、本実施の形態に係るデジタルカメラ１０では、再生モード時において、画像編集処理、画像プリント処理及び画像転送処理を実行することができる。ユーザは、再生モード時において、メニューキー５６Ｃを押圧操作することによりＬＣＤ３８に表示されるメニュー画面上でこれらの処理のうちの所望の処理を選択する。
【００９０】
以下、これらの処理について、それぞれ図面を参照して詳細に説明する。
（画像編集処理）
図６は、画像処理の実行時にＣＰＵ１１により所定期間（本実施の形態では１秒間。）毎に実行される画像編集処理プログラムの処理の流れを示すフローチャートであり、当該画像編集処理プログラムも、記憶部２６のＲＯＭに予め記憶されている。以下、同図を参照して本実施の形態に係る画像編集処理について説明する。
【００９１】
まず、ステップ１２０では、処理対象となり得る画像ファイルの候補一覧をＬＣＤ３８に表示する。当該候補一覧は、記録メディア１８に記録された全ての画像ファイルのファイル名の一覧でもよいし、記録メディア１８に記録された全ての画像ファイルの各々により示される画像が縮小されたサムネイルの一覧でもよい。
【００９２】
ここで、ユーザは、表示された候補一覧の中からトリミングを行ないたい画像をトラックボール６２の操作によって指定する。
【００９３】
そこで、次のステップ１２２では、ユーザによる当該画像の指定待ちを行い、次のステップ１２４では、上記撮影モード処理のステップ１０４における処理と同様にして、ユーザにより選択された画像（以下、「原画像」という。）をＬＣＤ３８に表示する。
【００９４】
これに対して、ユーザは、ＬＣＤ３８に表示された原画像が所望の画像であるかを確認した上で、決定キー５６Ｄ又はキャンセルキー５６Ｆを押圧操作することにより、トリミング機能を実行するか否かを入力する。
【００９５】
次のステップ１２６では、上記撮影モード処理のステップ１０６における処理と同様の処理を行ない、当該判定が否定判定とされた場合には、本画像編集処理を終了する。
【００９６】
一方、ステップ１２６で肯定判定とされた場合には、ステップ１２８に移行して、上記撮影モード処理のステップ１０８における処理と同様の処理を行う。
【００９７】
ここで、ユーザは、ＬＣＤ３８の表示内容を確認し、決定キー５６Ｄ又はキャンセルキー５６Ｆを押圧操作することにより、トリミング画像及び前記プレビュー表示された画像の双方の画像情報、又はトリミング画像の画像情報のみを記録メディア１８に記録するか否かを入力する。
【００９８】
そこで、ステップ１３０では、決定キー５６Ｄ又はキャンセルキー５６Ｆの押圧操作待ちを行ない、ステップ１３２では、トリミング画像を示す画像情報を記録メディア１８に記録するか否かを判定している。ユーザによるキー操作の結果、キャンセルキー５６Ｆが押圧されたことを示す検出信号が入力された場合には当該判定が否定判定となり、再びステップ１２４に戻る。一方、決定キー５６Ｄが押圧されたことを示す検出信号が入力された場合には、ステップ１３２で肯定判定となり、ステップ１３４に移行する。
【００９９】
ステップ１３４では、原画像を示す画像ファイルとトリミング画像を示す画像ファイルとを関連付けて記録メディアに記録し、その後に本画像編集処理を終了する。
【０１００】
なお、デジタルカメラ１０では、一般に、撮影された画像を示す画像情報を画像ファイルとして記録メディア１８に記録する際に、当該画像ファイルに対して自動的にファイル名を付与するようになっている。そして、一例として図７に示すように、記録メディア１８のデジタルカメラ１０により撮影された画像を示す画像ファイルを格納する領域には、撮影順の通し番号が含まれるファイル名が付与された画像ファイルが記憶される。
【０１０１】
そこで、本実施の形態では、上記原画像を示す画像ファイルとトリミング画像を示す画像ファイルとの関連付けとして、例えば、同図に示すように、トリミング画像の画像ファイルに対し、これに対応する原画像の画像ファイルのファイル名の末尾にトリミング画像であることを示す「Ｔ」を付したファイル名を自動的に付与して記録メディア１８に記録する。
（画像プリント処理）
図８は、画像プリント処理の実行時にＣＰＵ１１により所定期間（本実施の形態では１秒間。）毎に実行される画像プリント処理プログラムの処理の流れを示すフローチャートであり、当該画像プリント処理プログラムも、記憶部２６のＲＯＭに予め記憶されている。以下、同図を参照して本実施の形態に係る画像プリント処理について説明する。
【０１０２】
なお、当該画像プリント処理プログラムにおいて、上述した画像編集処理と同一の処理を行うステップについては同一の符号を付して、その詳細な説明を省略する。
【０１０３】
ところで、本画像プリント処理の実行時には、ユーザは、トリミング枠を決定するとＬＣＤ３８の表示内容を確認し、決定キー５６Ｄ又はキャンセルキー５６Ｆを押圧操作することにより、当該トリミング画像のプリンタ４６によるプリントを実行するか否かを入力する。
【０１０４】
そこで、ステップ１３０が肯定判定である場合には、ステップ１４０に移行し、トリミング画像をプリントするか否かを判定する。ユーザの操作の結果、キャンセルキー５６Ｆが押圧されたことを示す信号が入力された場合は、再びステップ１２４に戻る。一方、決定キー５６Ｄが押圧されたことを示す信号が入力された場合は、トリミング画像のプリントを実行するものと判断して、ステップ１４２に移行する。
【０１０５】
ステップ１４２では、トリミング画像と、当該画像トリミング画像の明るさ（ＥＶ値）のみを変えるように画像情報を変更した画像とをＬＣＤ３８に表示する。
【０１０６】
例えば、図９に示されるように、トリミング画像（図９に示す例では、上段に表示された画像）及びトリミング画像の明るさのみを変更した２つの画像（図９に示す例では、下段に表示された画像）の３つの画像を表示すると共に、当該表示に重ねて、３つの画像の何れか１つを選択するためのカーソル５１（図９に示す例では、上段に表示された画像を示す矩形枠状のカーソル）を表示する。
【０１０７】
一方、ユーザは、十字カーソルキー５６Ｅを操作してカーソル５１がＬＣＤ３８に表示された３つの画像のうち、所望の明るさの画像を示すように移動させると共に、決定キー５６Ｄを押圧操作して１つの画像を選択する。
【０１０８】
そこで、ステップ１４４では、当該所望の明るさの画像の選択待ちを行ない、次のステップ１４６では、選択された画像のプリントを実行する。すなわち、プリンタインタフェース４５を介してユーザにより選択された画像を示す画像情報をプリント可能な情報に変換した画像情報及びプリント指示を含む情報をプリンタ４６に出力し、ステップ１３４に移行する。
【０１０９】
なお、本画像プリント処理においては、ステップ１４４で選択された画像（実際にプリントされた画像）をトリミング画像とみなし、ステップ１３４において、選択された画像を示す画像情報を画像ファイルとして記録メディア１８に記録する。
【０１１０】
また、ユーザは、トリミング機能を実行しない場合には、再度決定キー５６Ｄ又はキャンセルキー５６Ｆを押圧操作するようになっている。
【０１１１】
そこで、本画像プリント処理においてステップ１２６で否定判定となった場合には、ステップ１４８に移行して、原画像をプリントするか否かを判定し、ユーザによる操作の結果、キャンセルキー５６Ｆが押圧されたことを示す信号が入力された場合は、本画像プリント処理を終了する。一方、決定キー５６Ｄが押圧されたことを示す信号が入力された場合は、ステップ１５０に移行する。
【０１１２】
ステップ１５０では、プリンタインタフェース４５を介して選択されている原画像の画像ファイルとして記録された画像情報をプリント可能な情報に変換した画像情報及びプリント指示情報を含む情報をプリンタ４６に出力することによりプリントを実行した後、本画像プリント処理を終了する。
（画像転送処理）
図１０は、画像転送処理の実行時にＣＰＵ１１により所定期間（本実施の形態では１秒間。）毎に実行される画像転送処理プログラムの処理の流れを示すフローチャートであり、当該画像転送処理プログラムも、記憶部２６のＲＯＭに予め記憶されている。以下、同図を参照して本実施の形態に係る画像転送処理について説明する。
【０１１３】
なお、当該画像転送処理プログラムにおいて、上述した画像編集処理と同一の処理を行うステップについては同一の符号を付して、その詳細な説明を省略する。
【０１１４】
また、本実施の形態に係るデジタルカメラ１０は、記録メディア１８に対してＥｘｉｆ（Exchangeable Image File Format）と呼ばれる画像ファイル・フォーマット（詳細は後述）で画像情報の記録を行なうものとして説明する。
【０１１５】
ところで、本画像転送処理の実行時には、ユーザは、トリミング枠を決定すると、ＬＣＤ３８の表示内容を確認し、決定キー５６Ｄ又はキャンセルキー５６Ｆを押圧操作することにより、当該トリミング画像のＰＣ４８への転送を実行するか否かを入力する。
【０１１６】
そこで、ステップ１３０が肯定判定である場合には、ステップ１６０に移行し、トリミング画像を転送するか否かを判定する。ユーザの操作の結果、キャンセルキー５６Ｆが押圧されたことを示す信号が入力された場合は、再びステップ１２４に戻る。一方、決定キー５６Ｄが押圧されたことを示す信号が入力された場合は、トリミング画像を示す画像情報の転送を実行するものと判断して、転送するための準備を行なうべくステップ１６２に移行する。
【０１１７】
ステップ１６２では、トリミング画像を示す画像ファイルの付帯情報として、原画像を示す画像ファイルのサイズ（容量）を記録する。
【０１１８】
ここで、図１１に示すように、Ｅｘｉｆフォーマットによる画像ファイルには、スタートコード領域６０Ａ、タグ領域６０Ｂ、サムネイル画像領域６０Ｃ及び主画像領域６０Ｄが含まれている。上記タグ領域６０Ｂには、主画像領域６０Ｄに記憶される画像情報により示される画像の撮影条件や撮影日時、撮影場所等の各種情報が、当該画像情報に関する付帯情報として記憶可能である。本画像転送処理においては、トリミング画像の画像ファイルにおけるタグ領域６０Ｂに、原画像のサイズとして、画素数や記憶容量等を記憶する。
【０１１９】
次のステップ１６４では、トリミング画像を示す画像ファイルのＰＣ４６への転送を実行する。すなわち、外部機器インタフェース４７を介してトリミング画像を示す画像ファイルをＰＣ４７に出力し、ステップ１３４に移行する。
【０１２０】
一方、ユーザは、トリミング機能を実行しない場合には、再度決定キー５６Ｄ又はキャンセルキー５６Ｆを押圧操作するようになっている。
【０１２１】
そこで、本画像プリント処理においてステップ１２６で否定判定となった場合には、ステップ１６６に移行して、原画像の画像ファイルを転送するか否かを判定する。ユーザによる操作の結果、キャンセルキー５６Ｆが押圧されたことを示す信号が入力された場合は、本画像転送処理を終了する。一方、決定キー５６Ｄが押圧されたことを示す信号が入力された場合は、ステップ１６８に移行する。
【０１２２】
ステップ１６８では、外部機器インタフェース４７を介して選択されている原画像の画像ファイルをＰＣ４７に出力することにより転送を実行し、その後に本画像転送処理を終了する。
【０１２３】
以上詳細に説明したように、本実施の形態に係るデジタルカメラ１０によれば、ＬＣＤ３８に画像ファイルにより示される画像を表示し、任意の方向への回転操作が可能に設けられたトラックボール６２に対する回転操作によってＬＣＤ３８における表示領域内のカーソル５０により示される位置を指定させ、指定された位置に基づく画像の領域をトリミング領域として、当該画像を示す画像情報から当該トリミング領域に対応する画像情報を抽出しているので、トリミング領域の指定を行なう際の操作性を向上させることができる。
【０１２４】
また、本実施の形態に係るデジタルカメラ１０によれば、トラックボール６２に対する任意の方向への回転操作に加え、所定方向への押圧操作を可能とすると共に、マイクロスイッチ６６により当該押圧操作を検出するようにしているため、トラックボール６２に対する任意の方向への回転操作に応じて表示領域においてカーソル５０により示される指定位置を変更し、トラックボール６２に対する所定方向への押圧操作により指定位置を決定する、というように、トラックボール装置６０に対する操作だけで指定位置の入力を行うことができ、トリミング領域の指定を行なう際の操作性をさらに向上させることができる。
【０１２５】
さらに、本実施の形態に係るデジタルカメラ１０によれば、撮影モード処理において、トリミングにより抽出された画像情報のみを記録メディア１８に記憶するか否かを示す指示情報が入力され、少なくともトリミング画像を示す画像情報については画像ファイルとして記録メディア１８に記録することが可能なため、トリミング画像を示す画像情報のみを画像ファイルとして記録する場合は、記録メディア１８の記録容量を節約できる。また、トリミング画像を示す画像情報及びＬＣＤ３８に表示された画像情報の双方を画像ファイルとして記憶する場合には、画像情報を抽出する前の全体画像を参照することができる。
【０１２６】
また、本実施の形態に係るデジタルカメラ１０によれば、撮影モード処理により、撮影時のプレビュー画像を示す画像情報から、所望の領域の画像を示す画像情報を高い操作性で抽出することができる。
【０１２７】
また、本実施の形態に係るデジタルカメラ１０によれば、画像編集処理により、再生表示された画像を示す画像情報から、所望の領域の画像を示す画像情報を高い操作性で抽出することができる。
【０１２８】
さらに、本実施の形態に係るデジタルカメラ１０によれば、画像編集処理及び画像プリント処理において、トリミング画像の画像情報と、原画像の画像情報とを画像ファイルとして記録メディア１８に記録する場合に、これらの画像ファイルを関連付けて記録するようにしているので、トリミング画像が、どの画像からトリミングされたかを容易に判別できる。
【０１２９】
また、本実施の形態に係るデジタルカメラ１０によれば、トリミング画像を示す画像情報及び原画像を示す画像情報の双方が画像ファイルとして記録メディア１８に記憶される場合に、原画像の画像ファイルの情報容量をトリミング画像の画像ファイルの付帯情報として記録メディア１８に記憶するようにしていので、再度、原画像の画像ファイルを読み出すか否かの判断の目安として利用できる。
【０１３０】
さらに、本実施の形態に係るデジタルカメラ１０によれば、トリミング画像を示す画像情報に基づいて当該画像情報により示されるトリミング画像の明るさを互いに異ならせた複数の画像情報を生成して当該複数の画像情報により示される複数の画像をＬＣＤ３８に表示し、表示した複数の画像のうちの選択された１つの画像を示す画像情報をトリミング画像の画像ファイルとして記録メディア１８に記録するので、トリミング画像の明るさを良好な明るさとして記録することができる。
【０１３１】
また、本実施の形態に係るデジタルカメラ１０によれば、画像ファイルを外部に出力するためのプリンタインタフェース４５及び外部機器インタフェース４７を更に備えているので、プリンタ４６等のプリンタやＰＣ４８等の外部装置にトリミング画像の画像ファイルを出力することにより、トリミング画像の活用の幅が広がる。
【０１３２】
さらに、本実施の形態に係るデジタルカメラ１０によれば、プリンタインタフェース４５を介してプリント指示情報をプリンタ４６に出力できるので、ＰＣ等の情報端末装置を介さずに画像情報をプリンタに直接出力する、所謂ダイレクトプリントにより、トリミング画像をプリントさせることができる。
【０１３３】
なお、本実施の形態では、トリミング領域を、ユーザのトラックボール６２に対する回転操作及び押圧操作によって指定される矩形のトリミング枠の対向する２つの頂点の位置に応じて決定する形態について説明したが、本発明はこれに限定されるものではなく、ユーザのトラックボール６２に対する回転操作に応じて決定されるものであればよい。
【０１３４】
また、本実施の形態では、再生モードにおいて、不図示のメニュー画面における選択状態に応じた処理を行うものとし、３つの処理について説明したが、本発明はこれに限定されるものではない。例えば、再生モードにおいて３つ以上の処理を行なうように構成してもよいし、１つの処理のみを行なうように構成してもよい。
【０１３５】
また、本実施の形態では、撮影モードにおいてのみ、トリミング画像を示す画像情報のみを画像ファイルとして記録するか否かをユーザーに選択させる形態について説明したが、再生モードにおいても、同様にトリミング画像を示す画像情報のみを選択させるようにしてもよい。ただし、再生モードにおいては、原画像の画像ファイルは既に記録メディア１８に記録されているため、トリミング画像を示す画像情報のみを記録することが選択された場合には、トリミング画像を示す画像情報を画像ファイルとして記録メディア１８に記録すると共に、原画像の画像ファイルを記録メディア１８から消去する必要がある。
【０１３６】
さらに、本実施の形態に係るデジタルカメラ１０では、記録メディア１８に対してＥｘｉｆフォーマットにより画像情報を記録し、画像転送処理において原画像を示す画像情報のサイズをトリミングが像を示す画像情報のタグ領域に付帯情報として記憶する形態について説明したが、本発明はこれに限定されるものではない。
【０１３７】
例えば、ＤＰＯＦ（Digital Print Order Format）規格で画像情報を記録メディア１８に記録し、ＤＰＯＦファイルの所定領域にトリミング画像情報に関する付帯情報として記憶するようにしてもよい。
【０１３８】
また、本実施の形態では、記録メディア１８に記録するトリミング画像と原画像との関連付けを、ファイル名を利用して行なうものとして説明したが、本発明はこれに限定されるものではなく、ＤＰＯＦ規格やＥｘｉｆフォーマットを利用して付帯情報として記録するようにしてもよい。
【０１３９】
なお、本実施の形態で説明したフローチャート（図４、図６、図８及び図１０参照）の処理の流れは一例であり、本発明の主旨を逸脱しない範囲内において適宜変更可能であることは言うまでもない。
【０１４０】
例えば、図４に示される撮影モード処理プログラムでは、トリミング画像を記録メディア１８に記録する場合に、当該トリミング画像を示す画像情報を加工することなく画像ファイルとして記録していたが、例えば、プレビュー画像と同一サイズとなるように加工して記録するようにしてもよい。また、当該加工後の画像情報により示される拡大画像をプレビュー画像としてＬＣＤ３８に表示するようにしてもよい。
【０１４１】
また、以上のデジタルカメラ１０の構成（図１乃至図３参照）は一例であり、本発明の主旨を逸脱しない範囲内において適宜変更可能であることは言うまでもない。
【図面の簡単な説明】
【０１４２】
【図１】実施の形態に係るデジタルカメラの外観を示す外観図である。
【図２】実施の形態に係るトラックボール装置の構成及び作用を示す一部切欠断面図である。
【図３】実施の形態に係るデジタルカメラの電気系の構成を示すブロック図である。
【図４】ＣＰＵが実行する撮影モード処理プログラムの処理の流れを示すフローチャートである。
【図５】撮影モード処理におけるＬＣＤの表示状態の一例を示す模式図である。
【図６】ＣＰＵが実行する画像編集処理プログラムの処理の流れを示すフローチャートである。
【図７】記録メディアの記録状態を示す模式図である。
【図８】ＣＰＵが実行する画像プリント処理プログラムの処理の流れを示すフローチャートである。
【図９】画像プリント処理におけるＬＣＤの表示状態の一例を示す模式図である。
【図１０】ＣＰＵが実行する画像転送処理プログラムの処理の流れを示すフローチャートである。
【図１１】Ｅｘｉｆフォーマットにより作成されたファイルの構成を示す模式図である。
【符号の説明】
【０１４３】
１０    デジタルカメラ
１１    ＣＰＵ（トリミング手段、記憶制御手段、表示制御手段）
１８    記録メディア（記憶手段）
２４    ＣＣＤ（撮像手段）
３８    ＬＣＤ（表示手段）
４５    プリンタインタフェース（出力手段）
４７    外部機器インタフェース（出力手段）
５６Ｃ    メニューキー（指示入力手段）
５６Ｄ    決定キー（指示入力手段、選択手段、プリント指示入力手段）
５６Ｆ    キャンセルキー（指示入力手段）
６０    トラックボール装置（位置指定手段）
６２    トラックボール（回転体）
６６    マイクロスイッチ（押圧検出手段）
【図１】
2005045650.tif 000003
【図２】
2005045650.tif 000004
【図３】
2005045650.tif 000005
【図４】
2005045650.tif 000006
【図５】
2005045650.tif 000007
【図６】
2005045650.tif 000008
【図７】
2005045650.tif 000009
【図８】
2005045650.tif 000010
【図９】
2005045650.tif 000011
【図１０】
2005045650.tif 000012
【図１１】
2005045650.tif 000013